(57)【要約】【課題】施工後に建具体を開閉方向に回動するのみで施工誤差の有無を確認できる建具とする。【解決手段】縦枠２に建具体３をピボットヒンジ４，５で見込み方向に回動自在に取り付け、建具体３の吊元側縦框３２の半円弧形状の外側面３２ａに干渉部７を形成し、吊元側縦枠２２の内側面２２ａに感知部品６を取り付け、建具体３を開閉方向に回動したときに、施工誤差がない場合には前記干渉部７が感知部品６と隙間を有して回動して音鳴りが発生しないようにし、施工誤差がある場合には前記干渉部７が感知部品６と干渉して音鳴りが発生するようにすることで、施工後に建具体３を開閉方向に回動するのみで施工誤差の有無を感知し確認できる建具とする。【選択図】図４
2015004222.tif 000002
【特許請求の範囲】
【請求項１】
建具枠に建具体の吊元側をピボットヒンジで、閉じ位置と開き位置とに渡って見込み方向に回動自在に取り付けた建具であって、
前記建具体の吊元側の外側面を、建具体の回動中心を中心とするほぼ半円弧形状とし、
前記建具枠の吊元側縦枠の内側面に感知部品を、前記建具体の吊元側の外側面と対向して取り付け、
前記吊元側縦枠と建具体の吊元側との見込み方向のチリ寸法及び見付け方向のチリ寸法が所定の寸法の施工誤差無の場合には、前記建具体の開閉方向の回動時に、その吊元側の外側面が感知部品と隙間を置いて回動して音鳴りが発生しないようにし、
前記見込み方向のチリ寸法と見付け方向のチリ寸法の少なくとも一方が所定の寸法より小さい施工誤差有の場合には、前記建具体の開閉方向の回動時に、その吊元側の外側面が感知部品と干渉して音鳴りが発生し感知するようにしたことを特徴とする建具。
【請求項２】
前記建具体の吊元側の外側面に干渉部を設け、前記感知部品に被干渉部を設け、
前記建具体の開閉方向の回動時に、前記施工誤差無の場合には前記干渉部が被干渉部と干渉せずに、音鳴りが発生しないようにし、
前記施工誤差有の場合には前記干渉部が被干渉部と干渉して音鳴りが発生するようにした請求項１記載の建具。
【請求項３】
前記建具体の吊元側の外側面に窪み部を設け、その窪み部と外側面との段差部を干渉部とし、
前記施工誤差無の場合には、前記外側面と前記感知部品の被干渉部との間に隙間を有して建具体が回動することで音鳴りが発生しないようにし、
前記施工誤差有の場合には、建具体の回動時に窪み部が被干渉部に干渉して段差部が被干渉部と衝突して音鳴りが発生するようにした請求項２記載の建具。
【請求項４】
前記感知部品は、見付け方向内側に向かう第１被干渉部及び、見込み方向開き側に向かう第２被干渉部を有し、
前記見付け方向のチリ寸法が所定の寸法よりも小さい場合には、建具体の回動時に干渉部が第１被干渉部と干渉して音鳴りが発生し、
前記見込み方向のチリ寸法が所定の寸法よりも小さい場合には、建具体の回動時に干渉部が第２被干渉部と干渉して音鳴りが発生し、
前記干渉部が第１被干渉部と干渉するときの建具体の回動角度と、前記干渉部が第２被干渉部と干渉するときの建具体の回動角度が異なるようにした請求項１〜３いずれか１項記載の建具。
【請求項５】
前記吊元側縦枠の内側面に内向片を有し、該内向片に縦気密材を見込み方向開き側に向けて装着し、
前記建具体の吊元側の見込み方向閉じ側面が縦気密材に接するようにし、
前記感知部品を、吊元側縦枠の内側面における内向片よりも見込み方向開き側寄りに取り付け、
前記内向片と閉じ位置の建具体の吊元側の見込み方向閉じ側面との間隔を見込み方向のチリ寸法とし、
前記吊元側縦枠の内側面と閉じ位置の建具体の吊元側の外側面との間隔を見付け方向のチリ寸法とした請求項４記載の建具。
【発明の詳細な説明】
【技術分野】
【０００１】
本発明は、建物の出入口に取り付けるドア等の建具枠に建具体をピボットヒンジで開閉自在に取り付けた建具に関する。
【背景技術】
【０００２】
建具枠である扉枠に建具体である扉をピボットヒンジで開閉自在に取り付けた建具であるドアが特許文献１に開示されている。
このドアは、扉の吊元側上部と扉枠の上側を上のピボットヒンジで見込み方向に回動自在に連結すると共に、扉の吊元側下部と扉枠の下側を下のピボットヒンジで見込み方向に回動自在に連結し、扉の吊元側の外側面をピボットヒンジの回転中心を中心とする半円弧形状として扉の開閉時に吊元側の外側面が扉枠の吊元側と干渉しないようにすると共に、扉枠の吊元側に縦気密材を装着し、扉を閉じた状態で扉の吊元側の室内側面が縦気密材に接触するようにしてある。
【先行技術文献】
【特許文献】
【０００３】
【特許文献１】特開平１０−８８１３号公報
【発明の概要】
【発明が解決しようとする課題】
【０００４】
前述のように、扉の吊元側上下を扉枠の上側、下側に上下のピボットヒンジで見込み方向に回動自在に取り付けたドアは、扉枠に扉を取り付けた施工後に、ピボットヒンジを見込み方向及び見付け方向に移動して扉の位置を見込み方向及び見付け方向に微動する、いわゆるチリ調整をすることで施工誤差がないようにしている。
しかしながら、施工誤差の有無を確認するには、扉の吊元側と扉枠の吊元側との間の見込み方向の間隔（見込み方向のチリ寸法）及び見付け方向の間隔（見付け方向のチリ寸法）を測定しなければならず、手間と時間がかかる。
【０００５】
このために、施工誤差の有無を確認せずに、施工後の見込み方向のチリ寸法、見付け方向のチリ寸法が所定の寸法よりも小さい場合には、扉の開閉時に扉の吊元側が縦気密材に強く接し、早期に縦気密材が切れたり、異常摩耗することがある。
【０００６】
本発明の目的は、建具枠に建具体をピボットヒンジで開閉自在に取り付けた建具において、施工後に建具体を開閉方向に回動するのみで、施工誤差の有無を確認できるようにした建具とすることである。
【課題を解決するための手段】
【０００７】
本発明は、建具枠に建具体の吊元側をピボットヒンジで、閉じ位置と開き位置とに渡って見込み方向に回動自在に取り付けた建具であって、
前記建具体の吊元側の外側面を、建具体の回動中心を中心とするほぼ半円弧形状とし、
前記建具枠の吊元側縦枠の内側面に感知部品を、前記建具体の吊元側の外側面と対向して取り付け、
前記吊元側縦枠と建具体の吊元側との見込み方向のチリ寸法及び見付け方向のチリ寸法が所定の寸法の施工誤差無の場合には、前記建具体の開閉方向の回動時に、その吊元側の外側面が感知部品と隙間を置いて回動して音鳴りが発生しないようにし、
前記見込み方向のチリ寸法と見付け方向のチリ寸法の少なくとも一方が所定の寸法より小さい施工誤差有の場合には、前記建具体の開閉方向の回動時に、その吊元側の外側面が感知部品と干渉して音鳴りが発生するようにしたことを特徴とする建具である。
【０００８】
本発明の建具は、前記建具体の吊元側の外側面に干渉部を設け、前記感知部品に被干渉部を設け、
前記建具体の開閉方向の回動時に、前記施工誤差無の場合には前記干渉部が被干渉部と干渉せずに、音鳴りが発生しないようにし、
前記施工誤差有の場合には前記干渉部が被干渉部と干渉して音鳴りが発生するようにできる。
【０００９】
本発明の建具は、前記建具体の吊元側の外側面に窪み部を設け、その窪み部と外側面との段差部を干渉部とし、
前記施工誤差無の場合には、前記外側面と前記感知部品の被干渉部との間に隙間を有して建具体が回動することで音鳴りが発生しないようにし、
前記施工誤差有の場合には、建具体の回動時に窪み部が被干渉部に干渉して段差部が被干渉部と衝突して音鳴りが発生するようにできる。
このようにすれば、施工誤差がある場合には段差部が被干渉部と衝突して大きな音鳴りが発生し感知するので、施工誤差があることを確実に認識することができる。
【００１０】
本発明の建具は、前記感知部品は、見付け方向内側に向かう第１被干渉部及び、見込み方向開き側に向かう第２被干渉部を有し、
前記見付け方向のチリ寸法が所定の寸法よりも小さい場合には、建具体の回動時に干渉部が第１被干渉部と干渉して音鳴りが発生し、
前記見込み方向のチリ寸法が所定の寸法よりも小さい場合には、建具体の回動時に干渉部が第２被干渉部と干渉して音鳴りが発生し、
前記干渉部が第１被干渉部と干渉するときの建具体の回動角度と、前記干渉部が第２被干渉部と干渉するときの建具体の回動角度が異なるようにできる。
このようにすれば、音鳴りが発生したときの建具体の回動角度で所定の寸法より小さいチリ寸法が見込み方向のチリ寸法であるか、見付け方向のチリ寸法であるかを認識できる。
【００１１】
本発明の建具は、前記吊元側縦枠の内側面に内向片を有し、該内向片に縦気密材を見込み方向開き側に向けて装着し、
前記建具体の吊元側の見込み方向閉じ側面が縦気密材に接するようにし、
前記感知部品を、吊元側縦枠の内側面における内向片よりも見込み方向開き側寄りに取り付け、
前記内向片と閉じ位置の建具体の吊元側の見込み方向閉じ側面との間隔を見込み方向のチリ寸法とし、
前記吊元側縦枠の内側面と閉じ位置の建具体の吊元側の外側面との間隔を見付け方向のチリ寸法とすることができる。
【発明の効果】
【００１２】
本発明によれば、施工後に建具体を開閉方向に回動して音鳴りが発生すれば施工誤差有で、音鳴りが発生しなければ施工誤差無であるから、建具枠に建具体をピボットヒンジで開閉自在に取り付けた建具において、施工後に建具体を開閉方向に回動するのみで、施工誤差の有無を感知し確認することができる。
【図面の簡単な説明】
【００１３】
【図１】本発明の実施の形態を示す建具の外観図である。
【図２】図１の縦断面図である。
【図３】図１の横断面図である。
【図４】吊元側部分の拡大横断面図である。
【図５】見込み方向のチリ寸法が小さい場合の説明図である。
【図６】音鳴り発生状態の説明図である。
【図７】見付方向のチリ寸法が小さい場合の説明図である。
【図８】音鳴り発生状態の説明図である。
【図９】干渉部の他の実施の形態を示す吊元側部分の横断面図である。
【発明を実施するための形態】
【００１４】
図１は本発明の建具の実施の形態を示し、建具１は建具枠２と建具体３を備えている。
建具枠２は、上横枠２０と下横枠２１と吊元側縦枠２２と戸先側縦枠２３を枠組みしてある。
建具体３は、上横框３０と下横框３１と吊元側縦框３２と戸先側縦框３３を框組みし、その内部にガラスやパネル等のパネル体３４を装着してある。
吊元側縦框３２の上部が上横框３０に上ピボットヒンジ４で見込み方向に回動自在に連結され、吊元側縦框３２の下部が下横框３１に下ピボットヒンジ５で見込み方向に回動自在に連結され、建具体３は建具枠２に見込み方向に開放位置と閉じ位置とに渡って回動自在に取り付けてある。
図１に示す建具１はドアで、建具枠２がドア枠、建具体３が扉である。
【００１５】
図２に示すように、上ピボットヒンジ４は吊元側縦框３２の上部に取り付けたピボット軸４０と、上横枠２０に取り付けた軸受４１を備え、ピボット軸４０が軸受４１に回動自在に嵌合してある。
軸受４１は上横枠２０に見込み方向及び見付け方向に移動可能である。
下ピボットヒンジ５は下横枠２１に取り付けたピボット軸５０と、吊元側縦框３２の下部に取り付けた軸受５１を備え、ピボット軸５０が軸受５１に回動自在に嵌合してある。
ピボット軸５０は見込み方向及び見付け方向に移動可能である。
なお、上ピボットヒンジ４及び下ピボットヒンジ５は従来と同様であるので、詳細な説明を省略する。
【００１６】
図２に示すように、上横枠２０の見付け方向内側で見込み方向に向かう内側面２０ａに、見付け方向内側に向かう内向片２４を有し、この内向片２４に上横気密材２５が見込み方向の開き側、例えば室外側に向けて装着されている。
図２に示すように、下横枠２１の見付け方向内側で見込み方向に向かう内側面２１ａに見付け方向内側に向かう内向部２６を有し、この内向部２６に下横気密材２７が見込み方向の開き側に向けて装着してある。
図３に示すように、吊元側縦枠２２、戸先側縦枠２３の見付け方向内側で見込み方向に向かう内側面２２ａ，２３ａに見付け方向内側に向かう内向片２８を有し、この内向片２８に縦気密材２９が見込み方向の開き側に向けて装着してある。
各気密材は四周連続し、建具体３が閉じ位置のときに各框の見込み方向の閉じ側面、例えば、見込み方向の室内側面が各気密材に接することで、建具枠２と建具体３との間を気密する。
【００１７】
図３に示すように、吊元側縦框３２の吊元側縦枠２２の内側面２２ａと対向する見付け方向外側の外側面３２ａは、下ピボットヒンジ５の中心５ａ（上ピボットヒンジ４の中心ａ）、つまり建具体３の回動中心を中心とする半円弧形状で、建具体３が図３に示す実線で示す閉じ位置と、仮想線で示す開き位置とに渡って見込み方向に回動するときに吊元側縦框３２が吊元側縦枠２２と干渉しないようにしてある。
図３において、吊元側縦枠２２の内側面２２ａにおける内向片２８と見込み方向に反対側、つまり開き側寄りに弾性変形する指はさみ防止片２２ｂが取り付けてある。
【００１８】
図３に示すように、吊元側縦枠２２の内側面２２ａにおける長手方向中間に感知部品６が取り付けてある。
感知部品６は吊元側縦框３２の半円弧形状の外側面３２ａと対向している。
そして、吊元側縦框３２と吊元側縦枠２２との間の見込み方向の間隔（見込み方向のチリ寸法）及び見付け方向の間隔（見付け方向のチリ寸法）が所定の寸法で、施工誤差がない場合には、建具体３を開閉方向に回動した際に吊元側縦框３２の外側面３２ａが感知部品６と干渉することがなく、音鳴りが発生しないようにしてある。
【００１９】
見込み方向のチリ寸法と見付け方向のチリ寸法の少なくとも一方が所定の寸法よりも小さく、施工誤差がある場合には、建具体３を開閉方向に回動した際に吊元側縦框３２の外側面３２ａが感知部品６と干渉して音鳴りが発生するようにしてある。
【００２０】
このようであるから、建具枠２に建具体３を取り付けた施工後に、建具体３を開閉方向に回動し、音鳴りが発生するか、発生しないかで施工誤差の有無を感知し確認することができ、従来のように見込み方向のチリ寸法及び見付け方向のチリ寸法を測定する必要がない。
【００２１】
音鳴り発生の詳細を説明する。
図４に示すように感知部品６は、見込み方向に向かう第１片６０と、この第１片６０の見込み方向閉じ側に見付け方向の内側に向けて設けた第２片６１とでほぼＬ字形状の樹脂製である。
第１片６０の見付け方向外側の外側面６０ａが吊元側縦枠２２の内側面２２ａにおける内向片２８よりも見込み方向開き側寄りに接してビス等の固着具で固着して取り付けてある。
【００２２】
第１片６０は見付け方向内側に向かう第１被干渉部６２を有している。例えば、第１片６０の見付け方向内側の内側面６０ｂに突部６０ｃを設け、その突部６０ｃを第１被干渉部６２としてある。
第２片６１は見込み方向開き側に向かう第２被干渉部６３を有している。例えば、第２片６１の見込み方向開き側面６１ａと見付け方向内側面６１ｂとのコーナー部を第２被干渉部６３としてある。
【００２３】
吊元側縦框３２の外側面３２ａに干渉部７を有している。
例えば、外側面３２ａの見込み方向中央部に干渉部７を有している。
具体的には、外側面３２ａの見込み方向中央部に窪み部７０を形成し、その窪み部７０の見込み方向中央に凹溝７１を形成すると共に、この凹溝７１よりも見込み方向開き側に見込み方向閉じ側に向かう第１段差部７２、見込み方向閉じ側に見込み方向開き側に向かう第２段差部７３を形成し、第１段差部７２が第１の干渉部、凹溝７１が第２の干渉部、第２段差部７３が第３の干渉部とすることで、複数の干渉部を有している。
【００２４】
建具体３が閉じ位置の場合に、吊元側縦框３２の見込み方向閉じ側面３２ｂと吊元側縦枠２２の内向片２８との間の間隔、つまり見込み方向のチリ寸法Ｓ１及び、吊元側縦框３２の外側面３２ａと吊元側縦枠２２の内側面２２ａとの間隔、つまり見付け方向のチリ寸法Ｓ２が所定の寸法の場合には、第１被干渉部６２、第２被干渉部６３と吊元側縦框３２の外側面３２ａとの間に隙間（クリアランス）があるようにしてある。
【００２５】
建具枠２に建具体３を取り付けた施工後に建具体３を開閉方向に回動して施工誤差の確認をする。
施工時に施工誤差がない場合には、見込み方向のチリ寸法Ｓ１、見付け方向のチリ寸法Ｓ２が所定の寸法であるから、図４に示すように感知部品６の第１被干渉部６２、第２被干渉部６３と吊元側縦框３２の外側面３２ａとの間には隙間を有して回動するから、干渉部７が第１被干渉部６２、第２被干渉部６３と干渉することがなく、音鳴りが発生しない。
【００２６】
施工時に施工誤差がある場合、例えば建具体３が見込み方向閉じ側にずれ、見込み方向のチリ寸法Ｓ１が所定の寸法Ｓ１−１よりも小さい場合は、図５に示すように吊元側縦框３２の外側面３２ａが感知部品６の第２被干渉部６３と接触している。
この状態で建具体３を閉じ位置から開き位置に向けて大きな角度、例えば４５°回動すると、図６に示すように第２被干渉部６３に窪み部７０が干渉して音鳴りが発生する。
建具体３がさらに回動すると凹溝７１が第２被干渉部６３に干渉して再度音鳴りが発生する。
建具体３がさらに回動すると第１段差部７２が第２被干渉部６３に衝突して大きな音鳴りが発生する。
【００２７】
このように、建具体３が閉じ位置から開き位置に向けて大きな角度回動したときに２度の音鳴りの後に大きな音鳴りが発生するので、見込み方向のチリ寸法Ｓ１が所定の寸法よりも小さく、施工誤差があることを感知するので認識することができる。
【００２８】
開き位置まで回動した建具体３を閉じ位置に向けて回動した場合にも窪み部７０が第２被干渉部６３を通過する際に、前述と同様に３度の音鳴りが発生する。
【００２９】
施工時の施工誤差が、建具体３が見付け方向外側にずれ、見付け方向のチリ寸法Ｓ２が所定の寸法Ｓ２−１よりも小さい場合には、図７に示すように吊元側縦框３２の外側面３２ａが感知部品６の第１被干渉部６２と接触している。
この状態で建具体３を閉じ位置から開き位置に向けて小さな角度、例えば１０°回動したときに、図８に示すように、前述と同様に第１被干渉部６２が窪み部７０に干渉して音鳴りが発生し、さらに回動すると凹溝７１が第１被干渉部６２に干渉して音鳴りが発生し、さらに回動すると第１段差部７２が第１被干渉部６２に衝突して大きな音鳴りが発生する。
【００３０】
このように、建具体３を閉じ位置から開き位置に向けて小さな角度回動したときに、前述と同様に３度の音鳴りが発生するので、見付け方向のチリ寸法Ｓ２が所定の寸法よりも小さく、施工誤差があることを感知し認識することができる。
【００３１】
図５〜図８において建具体３のずれ量を実際よりも大きく図示して理解し易いようにしてある。
【００３２】
この実施の形態では、吊元側縦框３２の外側面３２ａに窪み部７０を形成して干渉部７としたので、その外側面３２ａと感知部品６０の第１被干渉部６２、第２被干渉部６３との間の隙間を小さくできるから、感知部品６０の第１被干渉部６２、第２被干渉部６３と吊元側縦框３２の外側面３２ａとの間に指をはさむことを抑制できる。
【００３３】
図９に示すように、吊元側縦框３２の外側面３２ａに突起７４を設けて干渉部７としても良い。例えば、外側面３２ａの見込み方向中央を平坦面とし、その平坦面に突起７４を設け、突起７４の先端が外側面３２ａの仮想円弧軌跡と合致するようにする。
【００３４】
前述の施工誤差は、吊元側縦枠２２が見込み方向開き側に向けて弓形状に反った場合、吊元側縦枠２２が見付け方向内側に向けて弓形状に反った場合に生じることがある。
【００３５】
この実施の形態では、感知部品６を吊元側縦枠２２の長手方向中間に１つ取り付けしたが、長手方向に間隔を置いて複数の感知部品６を取り付けしても良い。
この実施の形態の建具体３は框組みし、内部にパネル３４を装着したものであるが、パネル体で建具体３としても良い。
この場合には、パネル体の吊元側の外側面を半円弧形状とし、干渉部７を形成すれば良い。
【符号の説明】
【００３６】
１…建具、２…建具枠、３…建具体、４…上のピボットヒンジ、５…下のピボットヒンジ、６…感知部品、７…干渉部、２２…吊元側縦枠，２２ａ…内側面、２８…内向片、２９…縦気密材、３２…吊元側縦框（建具体の吊元側）、３２ａ…外側面、６２…第１被干渉部、６３…第２被干渉部、７０…窪み部、７１…凹溝、７２…第１段差部、７３…第２段差部。
【図１】
2015004222.tif 000003
【図２】
2015004222.tif 000004
【図３】
2015004222.tif 000005
【図４】
2015004222.tif 000006
【図５】
2015004222.tif 000007
【図６】
2015004222.tif 000008
【図７】
2015004222.tif 000009
【図８】
2015004222.tif 000010
【図９】
2015004222.tif 000011